(57)【要約】      （修正有）【課題】不使用時にスペースを取らず、折り曲げて成形するだけで手軽に使用することができる、串焼き食品固定フレームを提供する。【解決手段】第一側板１１と、第二側板１２と、支持部１１１と、串焼き食品を固定する位置決め部１２１とからなるとともに、一つの板体をなす固定フレームである。以上の構造により、使用前は可撓性素材からなる板体であり、使用時においては、板体に刻まれた折線に沿って折り曲げて成形した後、第一側板１１と第二側板１２を焼き網上に固定して設置する。続いて串焼き食品の持ち手部分を第二側板１２上の位置決め部１２１に固定し、串焼き食品の持ち手部分における食物に近い方の一端を支持部１１１の上に置く。【選択図】図１
0003192047.tif 000002
【実用新案登録請求の範囲】
【請求項１】
第一側板と、複数の支持部と、第二側板と、少なくとも一つの位置決め部とからなる、串焼き食品固定フレームであって、
前記支持部は、前記第一側板上に設けられ、
前記第二側板は、前記第一側板の一側に設けられ、
前記位置決め部は、前記第二側板上に前記支持部と対応するように設けられるとともに、串具を固定するために用いられることを特徴とする、串焼き食品固定フレーム。
【請求項２】
前記第一側板と前記第二側板の間には、前記第一側板と前記第二側板の直立状態を保つための接続部が少なくとも一つ設けられることを特徴とする、請求項１に記載の串焼き食品固定フレーム。
【請求項３】
前記固定フレーム上には、焼き網を固定するための係止部が少なくとも一つ設けられ、
更に前記固定フレームは、可撓性素材が一体成形されてなる一つの板体であるとともに、各部品を折り曲げて成形されることを特徴とする、請求項１に記載の串焼き食品固定フレーム。
【請求項４】
前記位置決め部は、逆鉤状を呈するとともに異なる水平面上に設けられ、
更に前記位置決め部一側は延伸して、誘導道を形成することを特徴とする、請求項１に記載の串焼き食品固定フレーム。
【請求項５】
前記支持部は、Ｖ字形、或いは略Ｕ字形、或いはその他の溝状であることを特徴とする、請求項１に記載の串焼き食品固定フレーム。
【考案の詳細な説明】
【技術分野】
【０００１】
本考案は、串焼き食品固定フレームに関し、特に焼き網上に固定される固定フレームであるとともに、串焼き食品を固定したり裏返したりすることが容易で、且つ収納が手軽で使いやすく、低コストな、串焼き食品固定フレームに関する。
【背景技術】
【０００２】
バーベキューは、台湾人にとって中秋節のお祝いをする際の最も重要な伝統的習慣となっている。テレビコマーシャルや量販店の販促によっていつの間にか根付いた習慣ではあるものの、中秋の名月の時期に人々が集まり、友人知人とバーベキューを囲むことも、また一つの団欒であるといえる。
【０００３】
「網焼き」という調理方法が生み出す味わいは、美食家を深く引き付け、徐々に中秋節でなくともバーベキューが食べられるようになった。専門店や屋台が次々に現れ、更には「串焼き」というマーケティング形態が一種のブームを巻き起こした。バーベキューの美味しさは、食材自体の新鮮さや炭火の質、調味料の割合が決め手となるが、最も重要なポイントとなるのは調理する人の技術である。この技術の要点は、食物と焼き網の間における動作にある。
【０００４】
上述の焼き網は、使用時において以下の問題と欠点があり、改善の余地がある。
一、食材が焼き網に張り付くため、焼き網に食材の滓が残りやすく、焼く量が多い場合は、頻繁に交換や洗浄をする必要がある。
二、串焼き食品が焼き網に張り付くため、裏返しの時に火傷をする可能性がある。
三、焼く時の火力や加熱時間の調整が難しく、食物の火の通り具合が不均一になりやすい。
【考案の概要】
【考案が解決しようとする課題】
【０００５】
本考案は、第一側板と第二側板を焼き網上に立たせることにより、串焼き食品の高さを持ち上げ、食材と焼き網が直接接触しないようにするとともに、串焼き食品の持ち手部分が第二側板の位置決め部を貫いて固定され、持ち手部分の食材に近い方の一端が支持部上に置かれることにより、使用者にとって扱いやすく、且つ異なる高さの位置決め部によって食材の受熱程度を調整することができる、串焼き食品固定フレームを提供することを目的とする。
【０００６】
また本考案は、固定フレームが一体成形によって一つの板体をなすことにより、製造コストを減少させるとともに、洗浄しやすく収納に便利な、串焼き食品固定フレームを提供することを目的とする。
【課題を解決するための手段】
【０００７】
上述の目的を達成するため、本考案の固定フレームは、第一側板と、前記第一側板上に設けられた複数の支持部と、前記第一側板の一側に設けられた第二側板と、前記第二側板上に前記支持部と対応するように設けられた少なくとも一つの位置決め部とからなる。また前記固定フレームは、一つの板体である。以上の構造により、使用の際は、前記固定フレームの板体上に刻まれた折線に沿って折り曲げて、凹型溝状の形状に成形してから、串焼き食品を第一側板と第二側板の上に固定する。
【考案の効果】
【０００８】
以上により、本考案は、串焼き食品を焼き網から少し離れた状態にするとともに、支持部と位置決め部によって固定するため、使用者が手軽に扱うことができる。
【図面の簡単な説明】
【０００９】
【図１】本考案の実施例１を示した斜視図である。
【図２】本考案の実施例１を示した部分拡大図である。
【図３】本考案の実施例１を示した動作概略図である。
【図４】本考案の実施例１を示した使用状態図（一）である。
【図５】本考案の実施例１を示した使用状態図（二）である。
【図６】本考案の実施例１を示した使用状態図（三）である。
【図７】本考案の実施例２の固定フレームを示した展開図（一）である。
【図８】本考案の実施例２を示した斜視図（一）である。
【図９】本考案の実施例２の固定フレームを示した展開図（二）である。
【図１０】本考案の実施例２を示した斜視図（二）である。
【考案を実施するための形態】
【００１０】
（実施例１）
図１、図２、図３を参照する。図は、それぞれ本考案の実施例１を示した斜視図、部分拡大図、動作概略図である。図に示したように、本考案の固定フレーム１は、可撓性素材が一体成形されてなるとともに、各部品を折り曲げて成形することが可能な一つの板体であり、且つ第一側板１１と、複数の支持部１１１と、第二側板１２と、少なくとも一つの位置決め部１２１と、少なくとも一つの係止部３とからなる。
【００１１】
複数の支持部１１１は、第一側板１１に設けられるとともに、Ｖ字形、略Ｕ字形、或いはその他の溝状を呈する。
【００１２】
第二側板１２は、第一側板１１一側に設けられる。第一側板１１と第二側板１２の間には、第一側板１１と第二側板１２の直立状態を保つための接続部２が少なくとも一つ設けられる。
【００１３】
少なくとも一つの位置決め部１２１は、第二側板１２上に支持部１１１と対応するように設けられる。更に位置決め部１２１は、異なる水平面上においてバーベキュー串を固定するために用いられ、且つ逆鉤状の位置決め部１２１における一側に誘導道１２２が延伸して形成される。
【００１４】
少なくとも一つの係止部３は、固定フレーム１に設けられるとともに、焼き網４を固定するために用いられる。
【００１５】
図１から図６までを合わせ参照する。図は、それぞれ本考案の実施例１を示した斜視図、部分拡大図、動作概略図、使用状態図（一）、使用状態図（二）、使用状態図（三）である。図に示したように、上述の構造によってなる本考案は、使用前においては一つの薄い板体であるため、収納しやすく、スペースを取らない。使用時は、板体上に刻まれた折線に沿って折り曲げるだけで成形することができる。成形された固定フレーム１は、凹型溝状の形状をなすとともに、溝状の両壁に第一側板１１と第二側板１２が設けられ、二つの側板の間に直立状態を保つための接続部２が設けられる。接続部２は、板体上の折線と穴によって簡単に接続することができ、更に固定フレーム１の係止部３を焼き網４における適切な位置に掛け止めることにより、設置が完了する。
【００１６】
バーベキューをする時は、串焼き食品の持ち手部分を位置決め部１２１一側の誘導道１２２に沿ってスライドさせ、位置決め部１２１へ入れる。この際、位置決め部１２１の高さは、使用者の習慣や食材の必要性に応じて自由に調整することができる。続いて、串焼き食品から手を離し、そのまま第一側板１１の支持部１１１に収まるようにする。尚、Ｖ字形の支持部は円柱形の串焼き道具を支え、略Ｕ字形の支持部は扁平状の串焼き道具を支えるために用いられる。串焼き食品が固定フレーム１上に固定され、食材が焼き網４と直接接触することがないため、残り滓が焼き網４に付着せず、頻繁に洗浄や交換を行う必要がなくなる。加えて、串焼き食品の串具が第一側板１１と第二側板１２の間に橋渡しされるため、使用者は裏返す時に火元と距離をおくことができ、扱いやすいだけでなく、安全性も高まる。この他、食材の必要性に応じて、高さや角度を変えて受熱程度を調整することができる。一般的に最も高度な技術を要すると考えられている魚串を例に挙げる。魚の頭は最も厚くて火が通りにくく、中央の身は強火で焼いてはならず、従来の焼き網４を用いる際には、皮の部分が焼き網４上に非常にくっつきやすいため、魚の身全体が崩れてしまうこともある。また尾の部分の身は比較的薄く、同様の火力で焼くと、必ず焦げてしまう。しかし、本考案を用いる際には、位置決め部１２１によって魚串を適切な角度に調整するだけで、上述の問題は全て簡単に解決することができる。
【００１７】
（実施例２）
次に、図７から図１０までを参照する。図は、それぞれ本考案の実施例２を示した固定フレームの展開図（一）、斜視図（一）、固定フレームの展開図（二）、斜視図（二）である。図に示したように、実施例２の構造は、前述の実施例１とほぼ同様であるが、折り曲げられる前の固定フレーム１ａの板体形状、及び第一側板１１ａと第二側板１２ａの間における接続部２ａの接続方法において、違いがある。即ち、固定フレーム１ａの板体形状は、第一側板１１ａ両側にそれぞれ接続部２ａが延伸して形成されるか、或いは板体が短冊状に設けられる。また接続部２ａは、第一側板１１ａ一側に形成される。本実施例は、上述した二つの接続部２ａが新たに設けられて両側接続されることにより、元々の点接続よりも堅牢な線接続となるため、同時により多くの串焼き食品を固定する際においても、安定性を保つことができる構造となる。
【００１８】
全ての図を参照する。本考案は、従来技術と比べた場合、使用時において以下の長所を有する。
一、串焼き食品が焼き網４から浮いた状態になるため、直接接触による問題が生じない。
二、食材の必要性に応じて、自由に受熱程度を調整することができる。
三、串焼き食品が固定フレーム１に固定されることにより、操作の利便性と安全性が向上する。
四、固定フレーム１が一体成形された一つの板体であることにより、製造コストが減少するとともに、収納と洗浄における利便性が向上する。
【符号の説明】
【００１９】
１            固定フレーム
１ａ   固定フレーム
１１   第一側板
１１ａ 第一側板
１１１ 支持部
１２   第二側板
１２ａ 第二側板
１２１ 位置決め部
１２２ 誘導道
２            接続部
２ａ   接続部
３            係止部
４            焼き網
【図１】
0003192047.tif 000003
【図２】
0003192047.tif 000004
【図３】
0003192047.tif 000005
【図４】
0003192047.tif 000006
【図５】
0003192047.tif 000007
【図６】
0003192047.tif 000008
【図７】
0003192047.tif 000009
【図８】
0003192047.tif 000010
【図９】
0003192047.tif 000011
【図１０】
0003192047.tif 000012